(57)【要約】【課題】燃料電池システムにおいて、蓄電部の劣化を抑えつつ、起動時のアノード内での水素の不均一を緩和して、炭素被毒による燃料電池の性能低下を抑えることである。【解決手段】燃料ガス供給弁４２と、燃料ガス循環流路４６に設ける水素ポンプ４８と、水素ポンプ４８に電力を供給する二次電池５０と、制御部６８とを備える。制御部６８は、二次電池５０の充電量を検出する充電量監視手段と、水素ガスまたは水素オフガスが流れる流路の水素濃度を推定する燃料ガス濃度推定手段と、燃料ガス供給弁ポンプ制御手段とを備える。燃料ガス供給弁ポンプ制御手段は、起動時に、二次電池５０の充電量の検出値と水素濃度の推定値とから水素ポンプ４８の目標回転数を設定し、水素ポンプ４８の目標回転数による回転開始から所定時間経過後に燃料ガス供給弁４２を開弁するように制御する。【選択図】図１
2008198406.tif 000002
【特許請求の範囲】
【請求項１】
酸化ガスと燃料ガスとの電気化学反応により発電する燃料電池と、
燃料電池に燃料ガスを供給する燃料ガス供給流路と、
燃料ガス供給流路の上流側に設けられた燃料ガス供給弁と、
燃料電池から排出される燃料ガスを燃料ガス供給流路に戻す燃料ガス循環流路と、
燃料ガス循環流路に設けられた燃料ガス循環ポンプと、
燃料ガス循環ポンプに電力を供給する蓄電部と、
蓄電部の充電量を検出する充電量監視手段と、
燃料ガスが流れる流路の燃料ガス濃度を推定する燃料ガス濃度推定手段と、
燃料ガス供給弁ポンプ制御手段と、を備え、
燃料ガス供給弁ポンプ制御手段は、起動時に、蓄電部の充電量と燃料ガス濃度の推定値とから燃料ガス循環ポンプの目標回転数を設定し、燃料ガス循環ポンプの目標回転数による回転開始から所定時間経過後に燃料ガス供給弁を開弁するように、燃料ガス循環ポンプと燃料ガス供給弁とを制御することを特徴とする燃料電池システム。
【請求項２】
酸化ガスと燃料ガスとの電気化学反応により発電する燃料電池と、
燃料電池に燃料ガスを供給する燃料ガス供給流路と、
燃料ガス供給流路の上流側に設けられた燃料ガス供給弁と、
燃料電池から排出される燃料ガスを燃料ガス供給流路に戻す燃料ガス循環流路と、
燃料ガス循環流路に設けられた燃料ガス循環ポンプと、
燃料ガス循環ポンプに電力を供給する蓄電部と、
蓄電部の充電量を検出する充電量監視手段と、
燃料ガスが流れる流路の燃料ガス濃度を推定する燃料ガス濃度推定手段と、
燃料ガス供給弁ポンプ制御手段と、を備え、
燃料ガス供給弁ポンプ制御手段は、起動時に、蓄電部の充電量と燃料ガス濃度の推定値とから燃料ガス循環ポンプの目標回転数を設定し、燃料ガス循環ポンプを目標回転数により回転するとともに、燃料ガス供給弁を中間開度にした状態で燃料ガス供給流路に燃料ガスを供給するように、燃料ガス循環ポンプと燃料ガス供給弁とを制御することを特徴とする燃料電池システム。
【請求項３】
請求項１または請求項２に記載の燃料電池システムにおいて、
燃料ガス供給弁ポンプ制御手段は、燃料ガス供給流路に燃料ガスを供給することにより、燃料ガス供給流路内の燃料ガス濃度が上昇するのにしたがって、燃料ガス循環ポンプの回転数を徐々に高くすることを特徴とする燃料電池システム。
【請求項４】
請求項１から請求項３のいずれか１に記載の燃料電池システムにおいて、
燃料ガス供給弁ポンプ制御手段は、蓄電部の充電量により蓄電部の放出可能なエネルギを求め、このエネルギに対応する上限回転数以下に燃料ガス循環ポンプの回転数を制御することを特徴とする燃料電池システム。
【請求項５】
請求項１から請求項４のいずれか１に記載の燃料電池システムにおいて、
燃料ガス濃度推定手段は、発電運転停止から発電運転開始の指令信号を受けるまでの放置時間の測定値または推定値と、燃料ガス供給流路または燃料ガス循環流路の圧力の検出値との少なくともいずれか１を用いて、燃料ガス濃度を推定することを特徴とする燃料電池システム。
【発明の詳細な説明】
【技術分野】
【０００１】
本発明は、酸化ガスと燃料ガスとの電気化学反応により発電する燃料電池と、燃料電池に燃料ガスを供給する燃料ガス供給流路と、燃料ガス供給流路の上流側に設けられた燃料ガス供給弁と、燃料電池から排出される燃料ガスを燃料ガス供給流路に戻す燃料ガス循環流路と、燃料ガス循環流路に設けられた燃料ガス循環ポンプとを備える燃料電池システムに関する。
【背景技術】
【０００２】
燃料電池スタックは、例えばアノード側電極、電解質膜およびカソード側電極から成る膜−電極アセンブリ（ＭＥＡ）とセパレータとを１組の燃料電池セルとして、これを複数組積層することにより構成している。すなわち、各燃料電池セルは、高分子イオン交換膜から成る電解質膜の一方の面にアノード側電極を、他方の面にカソード側電極を、それぞれ配置して、さらに両側にセパレータを設けることにより構成している。そして、このような燃料電池セルを複数組積層し、さらに集電板、絶縁板およびエンドプレートで狭持することにより、高電圧を発生する燃料電池スタックを構成する。
【０００３】
このような燃料電池では、アノード側電極に燃料ガス、例えば水素を含むガスを供給すると共に、カソード側電極に、酸化ガス、例えば空気を供給する。これにより、燃料ガスおよび酸化ガスが電気化学反応に供されて、起電力を発生し、カソード側電極では、水が生成される。
【０００４】
従来から、特許文献１に記載されているように、空気と水素との電気化学反応により発電する燃料電池スタックと、燃料電池スタックに水素を供給する水素供給流路と、水素供給流路の上流側に設けられた水素供給源と、燃料電池スタックから排出される水素を水素供給流路に戻す水素循環流路と、水素循環流路に設けられた水素循環ポンプとを備える燃料電池システムが考えられている。また、燃料電池システムの起動時に、水素排出流路に設けられた水素パージ弁を開き、その後、水素循環ポンプを駆動し、続いて、水素供給源からの水素供給を開始する。そして、燃料電池スタックのアノードに供給される水素濃度を徐々に上昇させることにより、アノードの入口側と出口側とで水素と空気との不均一な分布が解消されるとされている。
【０００５】
ここで、図７は、特許文献１に記載された図であり、起動時における燃料電池スタック内部の様子を模式的に示す図である。燃料電池システムの起動時に、金属触媒を担持した炭素担体が表面に形成された電解質膜１０のアノード１２側に空気が入り込んだ状態となっており、ここに水素が供給されることにより、アノード１２の入口側に水素が、出口側に酸素が偏在した状態となる。この場合、アノード１２の入口側とこれに対応するカソード１４側とで、式（１）（２）に表される電池反応が生じる。
Ｈ２  →  ２Ｈ＋＋２ｅ−  ‐‐‐  （１）
Ｏ２＋４Ｈ＋＋４ｅ−  →  ２Ｈ２Ｏ    ‐‐‐  （２）
【０００６】
また、アノード１２側の空気が偏在する部分で、電子の移動およびプロトンＨ＋の移動により、（３）式の反応が生じる。
Ｏ２＋４Ｈ＋＋４ｅ−  →  ２Ｈ２Ｏ    ‐‐‐  （３）
【０００７】
また、カソード１４側で、アノード１２側の空気が偏在する部分に対応する領域において、プロトンＨ＋の移動および電子の移動により、（４）式の反応が生じ、電解質膜１０上で炭素被毒が生じて、電解質膜１０が劣化するという問題があるとされている。また、炭素被毒の原因となる反応は、高電位であるほど加速されるとされている。
Ｃ＋２Ｈ２Ｏ→  ＣＯ２＋４Ｈ＋＋４ｅ−    ‐‐‐  （４）
特許文献１に記載された燃料電池システムは、このような問題を考慮して、起動時に燃料電池スタックのアノード１２において、水素濃度が徐々に上昇するように制御するとされている。
【０００８】
また、特許文献２に記載された燃料電池システムの場合、アノード排ガスを循環させるガス循環流路と循環ポンプとを備え、燃料電池の起動時に、アノードガス供給流路の上流側に設けるアノードガス遮断弁を閉弁した状態で、循環ポンプをアノード排ガス流路からアノードガス供給流路にアノード排ガスを還流する方向に対して逆方向にガスが流れるように駆動させた後、アノードガス遮断弁を開弁するとされている。
【０００９】
また、非特許文献１では、燃料電池の起動時や停止処理時に、燃料電池内のアノード側の流路で水素と酸素とが偏在することにより、異常電位が発生して燃料電池が劣化する可能性があるとされている。
【００１０】
【特許文献１】特開２００５−１６６４２４号公報
【特許文献２】特開２００６−１１４２２６号公報
【非特許文献１】Ｃａｒｌ  Ａ．Ｒｅｌｓｅｒ、外６名，「A Reverse−Current Decay Mechanism for Fuel Cells」、Electrochemical and Solid-State Letters、米国、The Electrochemical Society Inc、２００５年、８（６）、ｐ．Ａ２７３−Ａ２７６
【発明の開示】
【発明が解決しようとする課題】
【００１１】
上記の特許文献１に記載された燃料電池システムの場合、起動時に燃料電池スタックのアノード１２（図７）において、水素濃度が徐々に上昇するようにするために、水素供給源により水素供給流路への水素の供給を開始する前に循環ポンプを駆動している。ただし、燃料電池の発電開始前においては、循環ポンプに二次電池等の蓄電部から電力を供給する必要がある。これに対して、蓄電部の充電量が少ない場合に、循環ポンプを充電量に対応する使用可能なエネルギよりも高いエネルギで駆動させるようにすると、蓄電部が早期に劣化する原因となる。
【００１２】
すなわち、自動車用のように、外部からエネルギを供給されない自立型においては、燃料電池の発電開始前の状態で、蓄電部の電力により循環ポンプを駆動することにより、アノード側の酸素と水素との不均一を緩和することが考えられる。ただし、蓄電部の充電量が所定充電量よりも低い場合には、蓄電部の使用可能なエネルギが通常時よりも極度に低下する可能性がある。例えば、運転停止後に、氷点下の環境で放置された場合、通常に比べて数分の１から数十分の１程度まで、蓄電部の使用可能なエネルギが減少する可能性がある。このように蓄電部の使用可能なエネルギが低下した場合、蓄電部の充電量を考慮せずに、循環ポンプを駆動したのでは、蓄電部が早期に劣化する可能性がある。
【００１３】
また、従来から二次電池の代わりに電気二重層キャパシタを使用することも考えられているが、この場合もキャパシタの充電量が所定充電量よりも低い場合に、循環ポンプの回転数を過度に高くすると、上記のように二次電池を使用した場合と同様の不都合が生じる可能性がある。
【００１４】
また、特許文献２に記載された燃料電池システムおよび非特許文献１に記載された燃料電池のいずれも、蓄電部の劣化を抑えつつ炭素被毒による燃料電池の性能低下を抑える手段を開示するものではない。
【００１５】
本発明の目的は、燃料電池システムにおいて、蓄電部の劣化を抑えつつ、起動時のアノード内での水素の不均一を緩和して、炭素被毒による燃料電池の性能低下を抑えることである。
【課題を解決するための手段】
【００１６】
本発明の第１の発明に係る燃料電池システムは、酸化ガスと燃料ガスとの電気化学反応により発電する燃料電池と、燃料電池に燃料ガスを供給する燃料ガス供給流路と、燃料ガス供給流路の上流側に設けられた燃料ガス供給弁と、燃料電池から排出される燃料ガスを燃料ガス供給流路に戻す燃料ガス循環流路と、燃料ガス循環流路に設けられた燃料ガス循環ポンプと、燃料ガス循環ポンプに電力を供給する蓄電部と、蓄電部の充電量を検出する充電量監視手段と、燃料ガスが流れる流路の燃料ガス濃度を推定する燃料ガス濃度推定手段と、燃料ガス供給弁ポンプ制御手段と、を備え、燃料ガス供給弁ポンプ制御手段は、起動時に、蓄電部の充電量と燃料ガス濃度の推定値とから燃料ガス循環ポンプの目標回転数を設定し、燃料ガス循環ポンプの目標回転数による回転開始から所定時間経過後に燃料ガス供給弁を開弁するように、燃料ガス循環ポンプと燃料ガス供給弁とを制御することを特徴とする燃料電池システムである。なお、蓄電部は、二次電池の他、電気二重層キャパシタも含む。
【００１７】
また、本発明の第２の発明に係る燃料電池システムは、酸化ガスと燃料ガスとの電気化学反応により発電する燃料電池と、燃料電池に燃料ガスを供給する燃料ガス供給流路と、燃料ガス供給流路の上流側に設けられた燃料ガス供給弁と、燃料電池から排出される燃料ガスを燃料ガス供給流路に戻す燃料ガス循環流路と、燃料ガス循環流路に設けられた燃料ガス循環ポンプと、燃料ガス循環ポンプに電力を供給する蓄電部と、蓄電部の充電量を検出する充電量監視手段と、燃料ガスが流れる流路の燃料ガス濃度を推定する燃料ガス濃度推定手段と、燃料ガス供給弁ポンプ制御手段と、を備え、燃料ガス供給弁ポンプ制御手段は、起動時に、蓄電部の充電量と燃料ガス濃度の推定値とから燃料ガス循環ポンプの目標回転数を設定し、燃料ガス循環ポンプを目標回転数により回転するとともに、燃料ガス供給弁を中間開度にした状態で燃料ガス供給流路に燃料ガスを供給するように、燃料ガス循環ポンプと燃料ガス供給弁とを制御することを特徴とする燃料電池システムである。なお、蓄電部は、二次電池の他、電気二重層キャパシタも含むのは第１の発明の場合と同様である。
【００１８】
また、本発明において、好ましくは、燃料ガス供給弁ポンプ制御手段は、燃料ガス供給流路に燃料ガスを供給することにより、燃料ガス供給流路内の燃料ガス濃度が上昇するのにしたがって、燃料ガス循環ポンプの回転数を徐々に高くする。
【００１９】
また、より好ましくは、燃料ガス供給弁ポンプ制御手段は、蓄電部の充電量により蓄電部の放出可能なエネルギを求め、このエネルギに対応する上限回転数以下に燃料ガス循環ポンプの回転数を制御する。
【００２０】
また、より好ましくは、燃料ガス濃度推定手段は、発電運転停止から発電運転開始の指令信号を受けるまでの放置時間の測定値または推定値と、燃料ガス供給流路または燃料ガス循環流路の圧力の検出値との少なくともいずれか１を用いて、燃料ガス濃度を推定する。
【発明の効果】
【００２１】
本発明に係る燃料電池システムによれば、蓄電部の充電量が低い場合に、エネルギ消費量を低減して、蓄電部の劣化を抑えつつ、燃料ガス循環ポンプの回転数を高くできる。このため、蓄電部の劣化を抑えつつ、燃料電池への燃料ガスの供給開始直後でも、燃料電池のアノードでの水素の偏在を少なくできる。すなわち、蓄電部の劣化を抑えつつ、起動時のアノード内での水素の不均一を緩和して、炭素被毒による燃料電池の性能低下を抑えることができる。
【発明を実施するための最良の形態】
【００２２】
［第１の発明の実施の形態］
以下において、図面を用いて本発明に係る第１の実施の形態につき詳細に説明する。図１から図３は、第１の実施の形態を示している。図１に示すように、燃料電池システム１６は、例えば、燃料電池車に搭載して使用するもので、燃料電池スタック１８を有する。この燃料電池スタック１８は、複数の燃料電池セルを積層すると共に、燃料電池スタック１８の積層方向両端部に、集電板と、エンドプレートとを設けている。そして、複数の燃料電池セルと集電板とエンドプレートとをタイロッド、ナット等で締め付けている。なお、集電板とエンドプレートとの間に絶縁板を設けることもできる。
【００２３】
各燃料電池セルの詳細図は省略するが、例えば、電解質膜をアノード側電極とカソード側電極とにより狭持して成る膜−アセンブリと、その両側のセパレータとを備えたものとする。また、アノード側電極（以下、単に「アノード」という。）には燃料ガスである水素ガスを供給可能とし、カソード側電極（以下、単に「カソード」という。）には酸化ガスである空気を供給可能としている。そして、上記の図７に示した特許文献１に記載された燃料電池の模式図で説明したのと同様に、アノード１２で触媒反応により発生した水素イオン、すなわちプロトンを、電解質膜１０を介してカソード１４まで移動させ、カソード１４で酸素と電気化学反応を起こさせることにより、水を生成する。また、アノード１２からカソード１４へ外部回路を通じて電子を移動させることにより起電力を発生する。すなわち、図１に示す、複数の燃料電池セルを積層した燃料電池スタック１８は、酸化ガスと燃料ガスとの電気化学反応により発電する。
【００２４】
また、燃料電池スタック１８の内部で、セパレータの一部またはセパレータの近くに、図１で略示する内部冷却水流路２０を設けている。この内部冷却水流路２０に冷媒である冷却水を流すことにより、燃料電池スタック１８の発電に伴う発熱により温度が上昇しても、その温度が過度に上昇しないようにしている。
【００２５】
また、酸化ガスである空気を燃料電池スタック１８に供給するために、酸化ガス供給流路２２を設けている。また、燃料電池スタック１８から電気化学反応に供された後の空気である空気オフガスを排出するために、酸化ガス系排出流路２４を設けている。酸化ガス供給流路２２の上流部に、酸化ガス供給部であるエアコンプレッサ２６を設けている。そして、エアコンプレッサ２６により加圧された空気が、加湿器２８で加湿された後、燃料電池スタック１８のカソード側の酸化ガス流路に供給されるようにしている。また、空気を加湿器２８に通過させてから燃料電池スタック１８に供給する本経路３０とは別に、本経路３０と並行にバイパス経路３２を設けている。バイパス経路３２を通過する空気は、加湿器２８を通過せずに、燃料電池スタック１８に供給される。バイパス経路３２の途中に加湿器バイパス弁３４を設けている。
【００２６】
燃料電池スタック１８に供給され、各燃料電池セルで電気化学反応に供された後の空気オフガスは、燃料電池スタック１８から酸化ガス系排出流路２４を通じて排出された後、加湿器２８を通過してから圧力制御弁３６を介して大気に放出される。圧力制御弁３６は、燃料電池スタック１８に送られる空気の供給圧力が、燃料電池スタック１８の運転状態に応じた適切な圧力値になるように制御される。また、加湿器２８は、燃料電池スタック１８から排出された後の空気オフガスから得た水分を、燃料電池スタック１８に供給される前の空気に与えて、加湿する役目を果たす。
【００２７】
また、燃料ガスである水素ガスを燃料電池スタック１８に供給するために燃料ガス供給流路３８を設けている。また、燃料電池スタック１８から電気化学反応に供された後の水素ガスである水素オフガスを排出するために、燃料ガス系排出流路４０を設けている。水素オフガスには、未反応の水素も含まれる。また、燃料ガス供給流路３８の上流部に、燃料ガス供給部である、高圧水素タンク等の図示しない水素ガス供給装置を設けている。そして、水素ガス供給装置から電磁弁である燃料ガス供給弁４２を介して燃料電池スタック１８に水素ガスが供給されるようにしている。
【００２８】
燃料電池スタック１８のアノード側の燃料ガス流路に供給され、電気化学反応に供された後の水素オフガスは、燃料電池スタック１８から燃料ガス系排出流路４０を通じて排出される。燃料ガス系排出流路４０には気液分離器４４を介して燃料ガス循環流路４６を接続している。燃料ガス循環流路４６は、燃料電池スタック１８から排出された、未反応の水素ガスを含む水素オフガスを、燃料ガス供給流路３８に戻すために設けている。また、燃料ガス循環流路４６に燃料ガス循環ポンプである、水素ポンプ４８を設けている。水素ポンプ４８は、水素オフガスを、燃料ガス循環流路４６を通じて燃料ガス供給流路３８に戻し、水素ガス供給装置から送られる新たな水素ガスと合流させてから、再び燃料電池スタック１８に供給する。水素ポンプ４８は、蓄電部である二次電池５０に接続され、二次電池５０から電力を供給されて駆動する。水素ポンプ４８は、回転数を調節可能としている。
【００２９】
また、燃料電池スタック１８から排出された水素オフガスは、気液分離器４４で、水分を除去されてから、燃料ガス循環流路４６に送られる。気液分離器４４に排気排水流路５２を接続しており、排気排水流路５２の途中に排気排水弁であり、電磁弁であるパージ弁５４を設けている。排気排水流路５２の下流側に送られたガスおよび水分は、酸化ガス系排出流路２４を通じて送られる空気オフガスと図示しない希釈器で合流させ、水素濃度を十分に低下させてから外部に排出させるようにしている。なお、燃料ガス系排出流路４０または燃料ガス循環流路４６の途中の気液分離器４４から外れた部分等、排気排水流路５２とは別の部分に、電磁弁である排気弁を設けることもできる。
【００３０】
また、二次電池５０はニッケル水素電池またはリチウムイオン電池である。ただし、二次電池５０としては、ニッケルカドミウム電池等、すべての充電可能な電池を使用できる。また、二次電池５０に燃料電池スタック１８が接続されており、燃料電池スタック１８で発電した電力の少なくとも一部を二次電池５０で充電できるようにしている。
【００３１】
また、燃料電池スタック１８を冷却するための冷媒である冷却水は、冷却水経路５６を流れて、燃料電池スタック１８に送られる。冷却水は、燃料電池スタック１８内の内部冷却水流路２０を流れた後、再び冷却水経路５６に送られる。このように冷却水を冷却水経路５６に循環させるために、吐出流量を変化させることができる冷却水ポンプ５８を設けている。また、図１では、冷却水を冷却するためのラジエータ６０、冷却水中の金属イオンを除去するためのイオン交換樹脂６２、冷却水をラジエータに通過させずに流すためのバイパス経路６４および三方弁６６を、それぞれ設けている。
【００３２】
また、二次電池５０は、制御部（ＥＣＵ）６８に接続している。制御部６８は、二次電池５０の充電量（ＳＯＣ）を検出する充電量監視手段（ＳＯＣ監視手段）を有する。二次電池５０の充電量は、二次電池５０の放電電流および充電電流から求めたり、二次電池５０の電圧を測定する等により求める。
【００３３】
なお、二次電池５０に温度検出部である温度センサ（図示せず）を接続して、二次電池５０の温度を検出可能とすることもできる。この場合、温度センサの検出信号は、制御部６８に入力する。また、制御部６８には、燃料電池システム１６のイグニッションスイッチとして機能する図示しない起動スイッチが接続されており、起動スイッチからオン状態に対応する発電開始信号を受け取ることを条件に、発電開始処理が実行され、オフ状態に対応する発電停止信号を受け取ることを条件に、発電停止処理が実行される。また、制御部６８は、燃料ガス供給弁４２の開閉を制御するための制御信号を出力するようにしている。
【００３４】
また、制御部６８は、燃料ガス濃度推定手段と、燃料ガス供給弁ポンプ制御手段とを有する。燃料ガス濃度推定手段は、燃料ガス供給流路３８または燃料ガス循環流路４６の燃料ガス濃度である水素濃度を推定する機能を有する。例えば、燃料ガス濃度推定手段は、起動スイッチのオフに対応する燃料電池スタック１８の発電運転停止後から、起動スイッチのオンに対応する発電運転開始の指令信号を受けるまでの放置時間を測定し、放置時間から水素ガスまたは水素オフガスが流れる流路、すなわちアノード側の流路の水素濃度を推定する。すなわち、放置時間が長くなるほど燃料電池スタック１８の電解質膜を介してカソード側からアノード側に入り込む酸素および窒素の量が多くなり、アノード側の流路での水素濃度が低下する。このため、実験等により予め求めたアノード側の流路の水素濃度と、放置時間との関係を表すマップのデータを、制御部６８のメモリに記憶させておくことにより、燃料ガス濃度推定手段は、測定された放置時間からマップのデータを参照して、アノード側の流路の水素濃度を推定できる。
【００３５】
また、燃料ガス供給弁ポンプ制御手段は、燃料電池システム１６の起動時、すなわち、発電運転開始時に、燃料ガス濃度推定手段により求めた水素濃度の推定値と、充電量監視手段により求めた二次電池５０の充電量の検出値とを用いて、水素ポンプ４８を駆動する際の目標回転数を設定する。具体的には、二次電池５０の充電量の検出値により二次電池５０の放出可能なエネルギを求め、このエネルギに対応する、二次電池５０の劣化を抑えることができる範囲での、水素ポンプ４８の上限回転数を算出する。一方、燃料ガス濃度推定手段により求めた水素濃度の推定値から、燃料電池スタック１８のアノードに偏在する空気量を求める。そして、水素ガス供給装置からの水素供給開始前に水素ポンプ４８を駆動することで、水素供給を開始しても、アノードでの水素をほぼ均一化、または、燃料電池スタック１８での炭素被毒を十分に問題ない程度に抑えることができるようにするための、水素ポンプ４８の目標駆動力を算出する。
【００３６】
そして、目標駆動力が、二次電池５０の充電量から算出された水素ポンプ４８の上限回転数に対応する水素ポンプ４８の駆動力以下であるならば、目標駆動力に対応する水素ポンプ４８の回転数を、水素ポンプ４８の目標回転数として設定する。これに対して、目標駆動力が、水素ポンプ４８の上限回転数に対応する水素ポンプ４８の駆動力未満であるならば、水素ポンプ４８の上限回転数を、水素ポンプ４８の目標回転数として設定する。言い換えれば、燃料ガス供給弁ポンプ制御手段は、二次電池５０の放出可能なエネルギに対応する上限回転数以下に、水素ポンプ４８の回転数を制御する。そして、燃料ガス供給弁ポンプ制御手段は、起動時に、まず、水素ポンプ４８を一定の目標回転数で回転させ、続いて、水素ポンプ４８の回転開始から所定時間経過後に燃料ガス供給弁４２を開弁するように、水素ポンプ４８と燃料ガス供給弁４２とを制御する。
【００３７】
また、制御部６８は、起動スイッチからの信号等に対応して、エアコンプレッサ２６の作動状態、加湿器バイパス弁３４、圧力制御弁３６、パージ弁５４等の制御を行う。
【００３８】
次に、図２に示すフローチャートを用いて、発電運転停止後から起動スイッチのオンに対応する発電運転開始指令を受けた後、燃料電池スタック１８の発電運転を開始するまでの燃料電池システム１６の制御方法を説明する。まず、ステップＳ１で、起動スイッチが停止される（オフになる）と、制御部６８（図１）により発電停止処理が実行されて、エアコンプレッサ２６の作動が停止されるとともに、燃料ガス供給弁４２が閉弁するように、エアコンプレッサ２６および燃料ガス供給弁４２が制御される。また、この場合、制御部６８は、パージ弁５４も閉弁するように制御する。
【００３９】
次に、図２のステップＳ２で、タイマーカウントを開始し、ステップＳ３で起動スイッチがオンされると、ステップＳ４でタイマーカウントを終了して、放置時間を測定する。なお、発電停止処理の実行後、発電開始前においては、燃料電池スタック１８（図１）のカソードだけでなく、アノードにも、窒素、酸素等の不純ガス成分が存在する状態となっている。すなわち、アノードには、放置時間中に、カソードから電解質膜を介して窒素や酸素等の不純ガス成分が入り込み、一方、カソードにはアノードから電解質膜を介して水素が入り込む、いわゆるクロスリークが生じる。
【００４０】
次いで、図２のステップＳ５において、燃料ガス濃度推定手段は、放置時間の測定値からアノード側の流路の水素濃度の推定値を、上記で説明したようにマップのデータを参照して求める。
【００４１】
次に、ステップＳ６において、水素濃度の推定値から水素ポンプ４８（図１）の目標駆動力Ｐを算出する。このために、水素濃度の推定値から、燃料電池スタック１８のアノードに偏在する空気量を求める。そして、水素ガス供給装置からの水素供給開始前に水素ポンプ４８を駆動することで、水素供給を開始しても、アノードでの水素をほぼ均一化、または、燃料電池スタック１８での炭素被毒を十分に問題ない程度に抑えることができるようにするための、目標駆動力Ｐを算出する。また、図２のステップＳ７において、充電量監視手段は、二次電池５０（図１）の許容使用電力に対応する放出可能なエネルギＥを求め、図２のステップＳ８において、燃料ガス供給弁ポンプ制御手段は、エネルギＥと目標駆動力Ｐとから、上記で説明したようにして水素ポンプ４８（図１）の目標回転数Ｒを設定する。
【００４２】
そして、図２のステップＳ９において、燃料ガス供給弁ポンプ制御手段は、目標回転数Ｒで水素ポンプ４８（図１）を回転駆動させるように水素ポンプ４８を制御し、燃料ガス循環流路４６を介して、燃料ガス系排出流路４０から燃料ガス供給流路３８に水素オフガスを還流させる。そして、図２のステップＳ１０において、燃料ガス供給弁ポンプ制御手段は、水素ポンプ４８（図１）の回転開始から所定時間経過後に燃料ガス供給弁４２を開弁するように、燃料ガス供給弁４２を制御する。この結果、水素ガス供給装置から燃料ガス供給流路３８に水素ガスが供給される。
【００４３】
ここで、図３は、起動スイッチのオンオフ状態、水素ポンプ４８（図１）の回転数、燃料ガス供給弁４２の開閉状態、アノードの水素濃度分布、燃料電池スタック１８の異常電位の時間経過をそれぞれ示すタイムチャートである。「アノードの水素濃度分布」のタイムチャートは、燃料電池スタック１８のアノードでの水素濃度の不均一さを表しており、高くなるほど不均一さが高くなることを表している。また、「異常電位」は、燃料電池スタック１８に生じる異常電位を表している。図３に示すように、本実施の形態では、水素ポンプ４８の回転開始から所定時間ｔ１経過後に、燃料ガス供給弁４２（図１）を開弁させる。
【００４４】
なお、制御部６８に、二次電池５０の温度の検出値を表す信号を入力する場合には、二次電池５０の温度の検出値と、充電量監視手段により求めた二次電池５０の充電量の検出値とから、二次電池５０の放出可能なエネルギＥを求めることができる。すなわち、この場合には、発電運転開始指令を受けた時点での二次電池５０の充電量と、二次電池５０の温度とにより、二次電池５０の放出可能なエネルギＥを算出し、このエネルギＥに対応する、二次電池５０の劣化を抑えることができる範囲での、水素ポンプ４８の上限回転数を求める。
【００４５】
このように本実施の形態の場合、燃料ガス供給流路３８の上流側に設けられた燃料ガス供給弁４２と、燃料電池スタック１８からの水素オフガスを燃料ガス供給流路３８に戻す燃料ガス循環流路４６と、燃料ガス循環流路４６に設けられた水素ポンプ４８と、水素ポンプ４８に電力を供給する二次電池５０と、二次電池５０の充電量を検出する充電量監視手段と、燃料ガス供給流路３８または燃料ガス循環流路４６の水素濃度を推定する燃料ガス濃度推定手段と、燃料ガス供給弁ポンプ制御手段と、を備える。また、燃料ガス供給弁ポンプ制御手段は、燃料電池システム１６の起動時に、二次電池５０の充電量の検出値と水素濃度の推定値とから水素ポンプ４８の目標回転数Ｒを設定し、水素ポンプ４８の回転開始から所定時間ｔ１（図２）経過後に燃料ガス供給弁４２（図１）を開弁するように、水素ポンプ４８と燃料ガス供給弁４２とを制御する。このため、燃料電池スタック１８への水素ガスの供給開始直後でも、燃料電池スタック１８のアノードでの水素の偏在を十分に少なくできる。
【００４６】
すなわち、上記の図７に示した特許文献１に記載された燃料電池の模式図で説明したのと同様に、燃料電池スタック１８（図１）のアノード１２で、入口側と出口側とに水素と酸素とが不均一に存在するという問題に関して、水素ポンプ４８（図１）の回転開始後に燃料ガス供給弁４２を開弁するため、水素ポンプ４８の回転開始と燃料ガス供給弁４２の開弁とを同時に行う場合に比べて、水素ガスの供給開始直後でも、水素を燃料電池スタック１８のアノード出口等、アノードの隅々まで速やかに送ることができる。このため、起動時のアノード内での水素の不均一を緩和して、炭素被毒による燃料電池スタック１８の性能低下を十分に抑えることができる。すなわち、上記の図３の「アノード水素濃度分布」で示すように、アノード内での水素の不均一は、燃料ガス供給弁４２（図１）の開弁直後に速やかに緩和できる。また、これに伴って、図３の「異常電位」に示すように、燃料電池スタック１８（図１）の異常電位の発生を速やかになくすか、または十分に抑えることができる。しかも、二次電池５０（図１）の充電量が低い場合に、エネルギ消費量を低減できるため、二次電池５０の劣化を抑えることにより、過負荷による故障を防止しつつ、水素ポンプ４８の回転数を高くできる。すなわち、二次電池５０の劣化を抑えつつ、起動時でのアノード側の流路でのガスの循環量を高くして、アノード内の水素の不均一を緩和できる。
【００４７】
また、本実施の形態の場合、燃料ガス供給弁ポンプ制御手段は、二次電池５０の充電量により二次電池５０の放出可能なエネルギＥを求め、このエネルギＥに対応する上限回転数以下に水素ポンプ４８の回転数を制御している。このため、二次電池５０の出力性能が低下している場合に、より有効に消費エネルギを少なくして、二次電池５０の劣化をより有効に抑えることができる。
【００４８】
また、燃料ガス供給弁ポンプ制御手段は、二次電池５０の充電量および二次電池５０の温度により二次電池５０の放出可能なエネルギＥを求め、このエネルギＥに対応する上限回転数以下に水素ポンプ４８の回転数を制御する構成とすることもできる。この構成によれば、二次電池５０の出力性能が低下している場合に、より有効に消費エネルギを少なくして、二次電池５０の劣化をより有効に抑えることができる。すなわち、二次電池５０は充電量が同じでも温度が低い場合には、取り出せるエネルギが低くなるため、二次電池５０の温度を考慮することにより、より効果的に二次電池５０の劣化を抑えることができる。
【００４９】
なお、本実施の形態において、燃料ガス供給弁ポンプ制御手段は、二次電池５０の温度が所定温度以下で、かつ、二次電池５０の充電量が所定充電量以下の場合に、水素ポンプ４８の回転数を他の条件の場合に比べて低くするように制御することもできる。このように構成した場合も、二次電池５０の出力性能が低下している場合に、消費エネルギを少なくして、二次電池５０の劣化を有効に抑えることができる。
【００５０】
なお、本実施の形態において、水素ポンプ４８の回転開始と同時、または、燃料ガス供給弁４２の開弁と同時等において、パージ弁５４、または燃料ガス系排出流路４０または燃料ガス循環流路４６に設けた排気弁を開弁するように、パージ弁５４または排気弁を制御することもできる。
【００５１】
さらに、本実施の形態において、燃料電池スタック１８の温度を検出する温度センサを設けて、この温度センサからの検出信号を制御部６８に入力することもできる。この場合、燃料ガス濃度推定手段は、発電停止処理実行時の燃料電池スタック１８の温度と、発電開始処理実行時の燃料電池スタック１８の温度との間の温度差を用いて、発電運転停止から発電運転開始の指令信号を受けるまでの放置時間を推定できる。すなわち、燃料電池スタック１８の温度は発電停止処理実行時には、６０℃や８０℃等、比較的高くなるが、放置時間が長くなるのにしたがって燃料電池スタック１８の温度は低下する。したがって、予め上記の温度差と放置時間との関係を表すマップのデータを制御部６８のメモリに記憶させておくことで、燃料ガス濃度推定手段は、上記の温度差の推定値から上記のマップのデータを参照して、放置時間を推定できる。燃料ガス濃度推定手段は、このようにして得られた放置時間の推定値を用いて、本実施の形態で放置時間の測定値を使用する場合と同様に、アノード側の流路の水素濃度を推定する。
【００５２】
さらに、燃料ガス供給流路３８、燃料ガス系排出流路４０、燃料ガス循環流路４６のいずれかの圧力を検出する圧力センサを設けるとともに、この圧力センサからの検出信号を制御部６８に入力することもできる。この場合、燃料ガス濃度推定手段は、発電開始処理実行時に、圧力センサにより検出された圧力値から、アノード側の流路内の水素濃度を推定できる。
【００５３】
また、燃料ガス濃度推定手段は、燃料ガス供給弁４２の開弁による燃料ガス供給流路３８への水素ガスの供給開始後、燃料ガス供給流路３８、燃料ガス系排出流路４０、燃料ガス循環流路４６のいずれかの圧力変化の検出値、アノード側の流路の異なる部分同士の間での圧力差の検出値、燃料電池スタック１８の温度変化の検出値等から、水素ガス供給装置からの水素投入量を推定して、アノード側の流路内の水素濃度を一定時間経過毎等に推定することもできる。
【００５４】
また、このようにして得られた水素濃度の推定値から水素ポンプ４８による目標駆動力Ｐ´を算出する一方、充電量監視手段により二次電池５０の放出可能なエネルギＥ´を算出し、燃料ガス供給弁ポンプ制御手段は、Ｅ´に対応する水素ポンプ４８の上限回転数以下で、目標駆動力Ｐ´に近い駆動力が得られるように、水素ポンプ４８の目標回転数Ｒ´を設定することもできる。そして、燃料ガス供給弁ポンプ制御手段は、水素ポンプ４８の回転数を目標回転数Ｒ´に制御する。これにより、二次電池５０の劣化を有効に抑えつつ、水素ポンプ４８の回転数を高くすることにより、アノード内での水素濃度の不均一さをより有効に緩和して、異常電位の発生をなくすかまたは十分に抑えることができる。
【００５５】
［第２の発明の実施の形態］ 
図４は、第２の発明の実施の形態を示す、図３に対応するタイムチャートである。なお、燃料電池システムの基本構成自体は、上記の図１に示した第１の実施の形態と同様であるため、以下、同等部分には図１の符号を付して説明する。なお、図４では、図３に示すタイムチャートにおいて、燃料供給弁の開弁状態の代わりに、燃料電池スタック１８のアノードへの燃料供給の総量（アノード燃料供給総量）を示している。本実施の形態の場合、図４のタイムチャートで示すように、燃料ガス供給弁ポンプ制御手段は、燃料電池システム１６の起動時において、水素ポンプ４８の回転開始と同時に、燃料ガス供給弁４２を開弁するように、水素ポンプ４８および燃料ガス供給弁４２を制御する。また、この際、燃料電池スタック１８のアノードに供給する水素の総量を一定割合で徐々に多くする。すなわち、燃料ガス供給弁ポンプ制御手段は、燃料ガス供給弁４２を開弁する際に、開度を（２０％、５０％等の）中間開度状態とするように燃料ガス供給弁４２を制御する。そして、水素ガス供給装置から燃料ガス供給流路３８への水素ガスの供給流量を予め定めた一定の少量とする。また、燃料ガス供給弁ポンプ制御手段は、起動時に、二次電池５０の充電量と燃料ガス濃度推定値とから水素ポンプ４８の目標回転数を設定し、水素ポンプ４８を一定の目標回転数で回転するとともに、燃料ガス供給弁４２を中間開度にした状態で燃料ガス供給流路３８に水素ガスを供給するように、水素ポンプ４８と燃料ガス供給弁４２とを制御する。
【００５６】
このような本実施の形態によれば、図４のタイムチャートで示すように、アノードでの水素濃度の不均一を速やかに緩和できるとともに、異常電位の発生をなくすか、または十分に抑えることができる。すなわち、本実施の形態の場合には、燃料電池システム１６の起動時において、水素ポンプ４８の回転開始と同時に、燃料ガス供給弁４２を全開で開弁する場合に比べて、水素ガスの供給開始直後でも、燃料電池スタック１８のアノードにおいて、アノード入口等、アノードの一部で水素濃度が急激に高くなることを防止して、起動時のアノード内での水素の不均一を速やかに緩和した状態で、水素をアノードの隅々までほぼ均一に行き渡らせることができる。このため、異常電位の発生をなくすか、または十分に抑えて、炭素被毒による燃料電池スタック１８の性能低下を抑えることができる。
その他の構成および作用は、上記の第１の実施の形態と同様であるため、重複する説明および図示を省略する。
【００５７】
なお、燃料ガス供給弁４２の開弁による水素ガスの供給量は、水素ポンプ４８の回転数、アノード側の流路での圧力の検出値等から、またはこれらの検出値の少なくともいずれか１を用いた関数から決定することもできる。
【００５８】
また、上記の図１から図３に示した第１の実施の形態において、水素ポンプ４８の回転数、アノード側の流路での圧力の検出値等から、またはこれらの検出値の少なくともいずれか１を用いた関数から、水素供給量の最大量を決定することもできる。このようにすれば、水素投入量を十分に多くでき、起動時間の短縮を図れる。
【００５９】
［第３の発明の実施の形態］ 
図５は、第３の発明の実施の形態を示す、図４に対応するタイムチャートである。なお、燃料電池システム１６の基本構成自体は、上記の図１に示した第１の実施の形態と同様であるため、以下、同等部分には図１の符号を付して説明する。また、図５において、「アノード水素濃度」は、燃料電池スタック１８のアノード側の流路である、燃料ガス供給流路３８内での水素濃度を表している。本実施の形態の場合、図５のタイムチャートで示すように、上記の図４に示した第２の実施の形態と同様に、燃料ガス供給弁ポンプ制御手段は、燃料電池システム１６の起動時において、水素ポンプ４８の回転開始と同時に、燃料ガス供給弁４２を開弁するように水素ポンプ４８および燃料ガス供給弁４２を制御する。また、この際に、水素ポンプ４８の回転数を、所定時間の経過時点まで徐々に高くするようにしている。そして、燃料ガス供給弁ポンプ制御手段は、燃料ガス供給流路３８に水素ガスを供給することにより、燃料ガス供給流路３８内の水素濃度が上昇するのにしたがって、水素ポンプ４８の回転数を徐々に高くするようにしている。
【００６０】
このような本実施の形態の場合も、図５のタイムチャートの「アノード水素濃度分布」および「異常電位」で示すように、燃料電池スタック１８のアノードでの水素濃度の不均一を十分に緩和できるとともに、異常電位の発生をなくすか、または十分に抑えることができる。
その他の構成および作用については、上記の図４に示した第２の実施の形態と同様であるため、重複する説明を省略する。
【００６１】
なお、上記の図１から図３に示した第１の実施の形態において、本実施の形態の場合と同様に、燃料ガス供給弁ポンプ制御手段は、燃料ガス供給流路３８に水素ガスを供給することにより、燃料ガス供給流路３８内の水素濃度が上昇するのにしたがって、水素ポンプ４８の回転数を徐々に高くするようにすることもできる。
【００６２】
［本発明に関する参考例の第１例］ 
図６は、本発明に関する参考例の第１例を示す燃料電池システム１６の基本構成を示す、図１に対応する図である。本参考例の場合には、上記の図１から図３に示した第１の実施の形態において、燃料ガス循環流路４６から水素ポンプ４８（図１参照）を省略している。その代わりに、本実施の形態の場合には、燃料ガス供給流路３８の中間部において、燃料ガス循環流路４６の下流部との接続部に、水素循環装置である水素エジェクタ７０を設けている。水素エジェクタ７０は、水素ガス供給装置からの水素ガスを通過させる絞り流路（図示せず）を備える。また、絞り流路と燃料ガス循環流路４６の下流部とを通じさせ、水素ガス供給装置からの水素ガスが絞り流路内を高速で通過することにより生じた負圧により、燃料ガス循環流路４６内の水素オフガスを吸引し、絞り流路を通じて燃料ガス供給流路３８の下流側へ送るようにしている。この構成により、水素エジェクタ７０で、燃料ガス供給装置からの水素ガスと、燃料ガス循環流路４６からの水素オフガスとが合流して燃料ガス供給流路３８の下流側へ供給される。
【００６３】
また、制御部６８は、燃料電池システム１６の起動時において、燃料ガス供給弁４２の開度を中間開度とし、水素ガスが燃料電池スタック１８のアノードに少量ずつ徐々に供給されるように、燃料ガス供給弁４２を制御する。また、起動時において、燃料ガス供給弁４２の開弁の前または開弁と同時に、排気排水弁であるパージ弁５４または燃料ガス系排出流路４０または燃料ガス循環流路４６に設ける排気弁を開弁することもできる。
【００６４】
このような本参考例の場合も、上記の図４に示した第２の実施の形態と同様に、水素ガスの供給開始直後でも、燃料電池スタック１８のアノードにおいて、アノード入口等、アノードの一部で水素濃度が急激に高くなることを防止して、起動時のアノード内での水素の不均一を速やかに緩和した状態で、水素をアノードの隅々までほぼ均一に行き渡らせることができる。このため、異常電位の発生をなくすか、または十分に抑えることができ、炭素被毒による燃料電池スタック１８の性能低下を抑えることができる。
その他の構成および作用は、上記の図１から図３に示した第１の実施の形態と同様であるため、同等部分には同一符号を付して重複する説明を省略する。
【００６５】
［本発明に関する参考例の第２例］ 
また、図示は省略するが、本発明に関する参考例の第２例として、上記の図１から図３に示した第１の実施の形態において、制御部６８は、燃料電池システム１６の起動時に、水素ポンプ４８を回転駆動せず、燃料ガス供給弁４２の開弁と同時に、または開弁の前に、排気排水弁であるパージ弁５４または燃料ガス系排出流路４０または燃料ガス循環流路４６に設ける排気弁を開弁するように制御することもできる。このような構成により、発電運転停止時において、燃料電池スタック１８のアノードに存在する窒素、酸素等の不純ガス成分を、アノードから押し出しやすくでき、アノード内での水素の不均一を速やかに緩和した状態で、水素をアノードの隅々までほぼ均一に行き渡らせることができる。このため、異常電位の発生をなくすか、または十分に抑えることができる。
【００６６】
［本発明に関する参考例の第３例］ 
また、図示は省略するが、本発明に関する参考例の第３例として、上記の図１から図３に示した第１の実施の形態において、燃料ガス循環流路４６と水素ポンプ４８と気液分離器４４とを省略して、水素オフガスの排出流路をいわゆる開放系とすることもできる。すなわち、このような構成の場合、燃料電池スタック１８から排出された水素オフガスは、燃料ガス供給流路３８に還流させることなく、排気排水弁を介して外部に排出する。このような構成の場合、制御部６８は、燃料電池システム１６の起動時に、燃料ガス供給弁４２の開弁と同時に、または開弁の前に、排気排水弁を開弁するように制御する。このような構成の場合も、上記の参考例の第２例の場合と同様の効果を得られる。
【図面の簡単な説明】
【００６７】
【図１】第１の発明の実施の形態の燃料電池システムの基本構成を示す図である。
【図２】同じく発電運転停止後、起動スイッチのオンに対応する発電運転開始指令を受けた後、燃料電池スタックの発電運転を開始するまでの燃料電池システムの制御方法を示すフローチャートである。
【図３】同じく燃料電池システムの起動時において、起動スイッチのオンオフ状態、水素ポンプの回転数、燃料供給弁の開閉状態、アノードの水素濃度分布、燃料電池スタックの異常電位の時間経過をそれぞれ示すタイムチャートである。
【図４】第２の発明の実施の形態の燃料電池システムの起動時において、起動スイッチのオンオフ状態、水素ポンプの回転数、アノードへの燃料供給の総量、アノードの水素濃度分布、燃料電池スタックの異常電位の時間経過をそれぞれ示すタイムチャートである。
【図５】第３の発明の実施の形態の燃料電池システムの起動時において、起動スイッチのオンオフ状態、水素ポンプの回転数、アノードへの燃料供給の総量、アノードの水素濃度分布、燃料ガス供給流路の水素濃度分布（アノード水素濃度分布）、燃料電池スタックの異常電位の時間経過をそれぞれ示すタイムチャートである。
【図６】本発明に関する参考例の第１例の燃料電池システムの基本構成を示す図である。
【図７】従来構成の燃料電池システムの１例において、起動時における燃料電池スタック内部の様子を模式的に示す図である。
【符号の説明】
【００６８】
１０  電解質膜、１２  アノード、１４  カソード、１６  燃料電池システム、１８  燃料電池スタック、２０  内部冷却水流路、２２  酸化ガス供給流路、２４  酸化ガス系排出流路、２６  エアコンプレッサ、２８  加湿器、３０  本経路、３２  バイパス経路、３４  加湿器バイパス弁、３６  圧力制御弁、３８  燃料ガス供給流路、４０  燃料ガス系排出流路、４２  燃料ガス供給弁、４４  気液分離器、４６  燃料ガス循環流路、４８  水素ポンプ、５０  二次電池、５２  排気排水流路、５４  パージ弁、５６  冷却水経路、５８  冷却水ポンプ、６０  ラジエータ、６２  イオン交換樹脂、６４  バイパス経路、６６  三方弁、６８  制御部（ＥＣＵ）、７０  水素エジェクタ。
【図１】
2008198406.tif 000003
【図２】
2008198406.tif 000004
【図３】
2008198406.tif 000005
【図４】
2008198406.tif 000006
【図５】
2008198406.tif 000007
【図６】
2008198406.tif 000008
【図７】
2008198406.tif 000009